(57)【特許請求の範囲】
【請求項１】
受信した番組を所定の記録媒体に記録することのできる記録手段と、
受信した信号から番組放送予定の変更を示す放送予定変更情報を検出する情報検出手段と、
上記番組を予約記録するための所要の指定内容を有する予約記録情報が記憶される記憶手段と、
上記記憶手段に記憶された予約記録情報により指定される予約記録動作が実行されるように上記記録手段を制御するものとされ、予約記録動作中においては、上記情報検出手段が検出した放送予定変更情報が上記予約記録動作中の番組の放送時間帯の遅延を示す場合には、これまでの予約記録動作を終了させる記録終了制御を実行すると共に、この記録終了制御を実行した後において、遅延された番組の放送開始時間に至ったときに予約記録動作が再開されるように上記予約記録情報の変更を行い、
上記記録終了制御が実行されるまで実行されていた予約記録動作により記録された番組を消去するように消去制御を実行する制御手段と、
を備える記録装置。
【請求項２】
上記記録媒体はテープ状記録媒体とされたうえで、
上記制御手段は、
上記消去制御として、上記記録終了制御により停止された予約記録動作が開始されたときのテープ位置が、次の予約記録動作の再開時の記録開始位置となるように、上記テープ状記録媒体を巻き戻すための制御を実行するようにされている、
請求項１に記載の記録装置。
【請求項３】
上記制御手段は、
上記放送予定変更情報が臨時番組の挿入を示す場合には、臨時番組の挿入開始に対応してこれまでの記録動作を終了させる記録終了制御を実行し、この後、臨時番組の挿入終了後に放送される番組の記録が再開されるように上記予約記録情報の変更を行う、
請求項１に記載の記録装置。
【請求項４】
スクランブル処理が施された放送予定変更情報についてデスクランブル処理を行うデスクランブル手段と、
上記放送予定変更情報と共に送信され、当該記録装置に固有となるデスクランブル処理の実行制御に利用されると共に当該記録装置に固有となる処理制御情報を利用して、上記デスクランブル手段におけるデスクランブル処理の実行を制御するデスクランブル制御手段と、
を備える請求項１に記載の記録装置。
【請求項５】
上記情報検出手段は、
外部から所定のインターフェイスを介して送信される信号から上記放送予定変更情報を検出する、
請求項１に記載の記録装置。
【請求項６】
記憶手段に記憶される、番組の予約記録情報に基づいて番組を所定の記録媒体に記録する記録手順と、
受信した信号から番組放送予定の変更を示す放送予定変更情報を検出する情報検出手順と、
上記予約記録動作中においては、上記情報検出手順により検出された放送予定変更情報が上記予約記録動作中の番組の放送時間帯の遅延を示す場合には、これまでの予約記録動作を終了させる記録終了制御を実行すると共に、この記録終了制御を実行した後において、遅延された番組の放送開始時間に至ったときに予約記録動作が再開されるように上記予約記録情報の変更を行い、
上記記録終了制御が実行されるまで実行されていた予約記録動作により記録された番組を消去するように消去制御を実行する制御手順と、
を実行する記録方法。
【請求項７】
上記情報検出手順は、
外部から所定のインターフェイスを介して送信される信号から上記放送予定変更情報を検出する、
請求項６に記載の記録方法。
【発明の詳細な説明】
【０００１】
【発明の属する技術分野】
本発明は、例えば放送を受信して得られる画像音声情報について記録することのできる記録装置と、その方法に関するものである。
【０００２】
【従来の技術】
近年は映像信号を音声信号と共に記録することのできるＶＴＲ(Video Tape Recorder)が広く普及してきている。
また、このＶＴＲとしては、地上波放送や衛星放送などのテレビ放送を受信可能なチューナを備えているものが一般には普及している。このようなテレビ用チューナを備えたＶＴＲでは、受信選局したテレビ放送の映像信号及び音声信号をビデオテープに記録することが可能とされている。つまり、テレビ放送の録画を行うことができる。
【０００３】
また、上記のようなＶＴＲではいわゆる「予約録画」といわれる機能を備えているのが通常とされる。予約録画とは、例えば将来において放送が予定される番組のチャンネル及び録画開始時間と録画終了時間等をはじめとする所要の情報を、ユーザの操作によって登録するようにされる。そして、この登録された内容に従って、自動的に、所要のチャンネルを受信選局して所要の録画開始時間から録画終了時間にわたって録画を行うものである。
【０００４】
【発明が解決しようとする課題】
ところで、実状として、番組の放送スケジュールは予定どおりに進行するとは限らない場合がある。
例として、野球などのスポーツ中継が予定の終了時刻よりも延長されて放送されることで、以降の番組の放送時間がその分遅れるようにしてシフトされたり、或る番組の放送中に臨時ニュースなどの特別番組が挿入されて、それまで放送していた番組の残りの内容を、この挿入された特別番組が終了した後に放送するような場合が挙げられる。
【０００５】
例えば、一般には、上記のようにして、放送番組の放送予定が臨時に変更されたとしても、ＶＴＲ側では予め登録された予約録画の設定内容に従って録画を開始、終了するように動作する。このため、ユーザが録画したいと思っていた番組を最初から最後までビデオテープに録画することができないという問題は以前から生じていた。
【０００６】
そこで、例えばＶＴＲにおいては、例えば電話回線などを通じて録画予約の設定内容の変更を行うことができる機能を有したものも知られてきている。
この用途としては、例えば、スポーツ番組の放送時間の延長によって、それより以降に放送される番組の放送時間が繰り下げられたような場合、その繰り下げられた放送開始時間より前に、ユーザが電話をして予約録画の開始、終了時間を繰り下げるように録画予約の設定内容の変更を行うようにする。これにより、ユーザが録画しようと思っていた番組を、最初から最後まで録画することが可能になるものである。
【０００７】
但し、上記した電話回線などを通じて録画予約の設定内容の変更は、予約録画が開始される以前の段階でなければ行うことができないのが通常である。
つまり、例えば最初に登録した予約録画の設定内容により指定された時刻に予約録画が開始されて、現在録画動作が実行中となってしまっている状態では、例えば外部からの操作によって予約録画終了時間を遅らせるなどの動作を行わせることはできない。
【０００８】
【課題を解決するための手段】
そこで本発明は上記した課題を考慮して、例えば予め登録した予約録画設定内容に基づいて既に録画が実行中あるときに番組放送予定の臨時的な変更があったような場合でも、予約録画動作の実行内容について変更が行えるようにして、ユーザが希望する番組をその開始から終了まで録画できるようにすることを目的とする。
【０００９】
このため、記録装置について次のように構成する。
つまり、受信した番組を所定の記録媒体に記録することのできる記録手段と、受信した信号から番組放送予定の変更を示す放送予定変更情報を検出する情報検出手段と、番組を予約記録するための所要の指定内容を有する予約記録情報が記憶される記憶手段と、記憶手段に記憶された予約記録情報により指定される予約記録動作が実行されるように記録手段を制御するものとされ、予約記録動作中においては、情報検出手段が検出した放送予定変更情報が予約記録動作中の番組の放送時間帯の遅延を示す場合には、これまでの予約記録動作を終了させる記録終了制御を実行すると共に、この記録終了制御を実行した後において、遅延された番組の放送開始時間に至ったときに予約記録動作が再開されるように上記予約記録情報の変更を行い、記録終了制御が実行されるまで実行されていた予約記録動作により記録された番組を消去するように消去制御を実行する制御手段とを備えることとした。また、記録方法として、記憶手段に記憶される、番組の予約記録情報に基づいて番組を所定の記録媒体に記録する記録手順と、受信した信号から番組放送予定の変更を示す放送予定変更情報を検出する情報検出手順と、予約記録動作中においては、上記情報検出手順により検出された放送予定変更情報が上記予約記録動作中の番組の放送時間帯の遅延を示す場合には、これまでの予約記録動作を終了させる記録終了制御を実行すると共に、この記録終了制御を実行した後において、遅延された番組の放送開始時間に至ったときに予約記録動作が再開されるように上記予約記録情報の変更を行い、記録終了制御が実行されるまで実行されていた予約記録動作により記録された番組を消去するように消去制御を実行する制御手順とを実行するように構成することとした。
【００１０】
上記記録装置及び記録方法の構成によれば、予約記録動作を実行中にあっても、受信した放送予定変更情報の内容に基づいて記録手段（記録手順の記録動作）に対する制御を実行することで、以降の予約記録動作の実行内容について変更を行うように制御することが可能となる。これにより、例えばユーザが録画したいとして予約記録登録していた番組を例えば、その開始から終了まで記録することが可能になる。
【００１６】
上記送受信システム及び送受信方法の構成によっても、放送側から送信される放送予定変更情報を受信装置側が受信することで、受信装置側が予約記録動作を実行中にあっても、この放送予定変更情報の内容に基づいて記録手段（記録手順による記録動作）に対する制御を実行することで、以降の予約記録動作の実行内容について変更を行うように制御することが可能となる。
【００１７】
【発明の実施の形態】
以下、本発明の実施の形態について説明を行う。
ここで、本実施の形態としての送受信システムは、デジタル衛星放送を行う放送局側と、この放送を受信して放送番組を録画することのできるＶＴＲから成るものとする。
なお、以降の説明は次の順序で行う。
１．デジタル衛星放送受信システム
１−１．全体構成
１−２．ＶＴＲの構成
２．本実施の形態の予約録画動作
２−１．第１例
２−２．第２例
２−３．第３例
【００１８】
１．デジタル衛星放送受信システム
１−１．全体構成
図１は、本実施の形態としてのデジタル衛星放送送受信システムの全体構成を示すものである。この図に示すように、デジタル衛星放送の地上局１０１には、例えばテレビ番組素材サーバ１０６からのテレビ番組放送のための素材と、放送予定変更情報サーバ１０７からの放送予定変更情報が送られる。
【００１９】
テレビ番組素材サーバ１０６は、通常の放送番組の素材を提供するサーバである。このテレビ番組素材サーバから送られてくる素材は、動画及び音声のデータとされる。例えば、音楽放送番組であれば、上記テレビ番組素材サーバ１０６の動画及び音声の素材のデータを利用して、例えば新曲のプロモーション用の動画及び音声が放送されたりすることになる。
【００２０】
放送予定変更情報サーバ１０７は、放送予定の変更に関する内容を示す情報を提供するサーバである。
例えば実際の放送にあっては、スポーツ中継番組の延長や臨時ニュース番組の挿入などによって、本来決定していた番組の放送予定を変更する場合がある。このようにして或る放送チャンネルにおいて放送予定に変更があった場合、放送局側では、その変更状況に対応した所要の内容の放送予定変更情報を作成して、この放送予定変更情報サーバ１０７に対して登録を行うようにされる。
【００２１】
この放送予定変更情報は、後述するようにして、受信装置（ＶＴＲ１１２）において予約録画動作の変更制御に用いられる。これにより、例えばユーザが予約録画設定を行った番組の放送予定について変更があったとしても、このユーザが予約録画設定を行った番組の開始から終了までが記録媒体に収まるように録画することが可能になる。
【００２２】
キー情報サーバ１０８は、次に述べる地上局１０１において、送信すべきデータにスクランブル処理を施す際に利用されるキー情報を有している。また、キー情報サーバ１０８には、適正に料金を支払っているユーザが所有する受信装置（ＶＴＲ１１２）に対応して選択されたキー情報が登録されている。ここに登録されているキー情報は、ＶＴＲ１１２側でデスクランブル処理ついての実行制御に用いられる。
【００２３】
地上局１０１は、上記テレビ番組素材サーバ１０６から提供されるデータ、放送予定変更情報サーバ１０７から提供される放送予定変更情報、及びキー情報サーバ１０８に登録されているキー情報を多重化して送信する。この多重化に際しては、必要に応じて、テレビ番組素材サーバ１０６から提供されるデータについてスクランブル処理（暗号化処理）が施される。
また、本実施の形態では放送予定変更情報送信のサービスも有料とされており、従って、この放送予定変更情報送信に対してもスクランブル処理が施される。
このような各情報に対するスクランブル処理は、キー情報サーバ１０８から提供されるキー情報（処理制御情報）を利用して行われる。
【００２４】
なお、ここでは説明を簡単にするために、地上局１０１側のサーバとしては上記上記テレビ番組素材サーバ１０６、放送予定変更情報サーバ１０７のみを示しているが、例えば実際としては、電子番組ガイドや放送番組に付随してユーザが各種操作を行うためのＧＵＩ画面のデータなどを提供するサーバの他、音楽配信のための配信用オーディオデータのサーバなどが設けられても構わないものである。つまり、地上局１０１側において用意されるサーバとしては、この図に示したものに限定されない。
【００２５】
地上局１０１は上記テレビ番組素材サーバ１０６、放送予定変更情報サーバ１０７から提供されるデータを多重化して送信する。また、これらのテレビ番組素材、及び放送予定変更情報としてのデータは多重化の際、キー情報サーバ１０８からのキー情報を利用して暗号化される。
なお、各サーバからのデータの多重化方式、及び暗号化方式等については、ここでは特に限定される必要はない。また、放送予定変更情報としてのデータは、例えばテレビ番組素材データとしてのストリームデータの冗長ビット内に挿入することなどが考えられる。
また、地上局１０１の内部構成例については後述する。
【００２６】
地上局１０１からの信号は衛星１０２を介して各家庭の受信設備であるＡＶシステム１０３で受信される。衛星１０２には複数のトランスポンダが搭載されている。
この場合、各家庭のＡＶシステム１０３としては、パラボラアンテナ１１１とＶＴＲ(Video Tape Recorder)１１２と、モニタ装置１１４と、パーソナルコンピュータ１１３とが用意される。
【００２７】
パラボラアンテナ１１１で衛星１０２を介して放送されてきた信号が受信される。この受信信号がパラボラアンテナ１１１に取り付けられたＬＮＢ(Low Noize Block Down Converter)１１５で所定の周波数に変換され、ＶＴＲ１１２に供給される。
【００２８】
ＶＴＲ１１２における概略的な動作としては、受信信号から所定のチャンネルの信号を選局し、その選局された信号から番組としてのビデオデータ及びオーディオデータの復調を行ってビデオ信号、オーディオ信号を得る。
そして、このＶＴＲ１１２に対してはビデオカセットを装填することができ、このビデオカセットの磁気テープに対して、上記のようにして得られた番組としてのビデオ信号、オーディオ信号を記録することができるようになっている。つまり、いわゆる録画を行うことができる。
【００２９】
また、このＶＴＲ１１２は、予約録画機能を有しているものとされる。なお、この予約録画機能による録画動作については後述する。
【００３０】
また、本実施の形態のＶＴＲ１１２では、番組としてのデータと共に多重化されて送信されてくる放送予定変更情報を受信して、この放送予定変更情報の内容に基づいて、例えば現在実行中とされる予約録画動作について変更を行うことができるようになっている。
【００３１】
そして、ＶＴＲ１１２にて受信選局された番組のビデオ信号、オーディオ信号、又は、テープカセットから再生されたビデオ信号、オーディオ信号の出力は、例えばモニタ装置１１４に対して供給される。これにより、モニタ装置１１４では、ＶＴＲ１１２から出力されたビデオ信号、オーディオ信号に基づく画像表示及び音声出力が行われる。
【００３２】
また、この場合のＶＴＲ１１２は、例えば図示するようにして、電話回線１０４を介して課金サーバ１０５と通信可能とされている。ＶＴＲ１１２には、後述するようにして課金情報メモリ２２が備えられる。
例えばユーザが、いわゆるペイ・パー・ビューといわれる有料の番組を視聴するための契約を行ったとすると、このような番組の視聴履歴に応じて設定された課金情報が課金情報メモリ２２に記憶される。この課金情報メモリ２２の情報は、電話回線１０４を介して所定の機会、タイミングで課金サーバ１０５に送られる。課金サーバ１０５は、この送られてきた課金情報に従って金額を設定して課金を行い、ユーザに請求する。
【００３３】
また、本実施の形態では、前述したように放送予定変更情報を受信することも有料のサービスとされている。このため、課金情報メモリ２２には、この放送予定変更情報についての契約の有無についての情報も課金情報として記憶されている。放送予定変更情報を利用するための料金支払い契約をユーザが結んでいれば、この情報が課金サーバ１０５に送られることで、この放送予定変更情報サービスについての料金請求がユーザに対して行われる。
そして、地上局１０１側では、この放送予定変更情報サービスの契約を結んだユーザのＶＴＲ１１２に対応したキー情報を、キー情報サーバ１０８から送信するようにされる。例えば各家庭のＶＴＲ１１２ではこのキー情報も受信し、このなかから、そのＶＴＲ１１２に対応するキー情報があれば、放送予定変更情報のデスクランブルを実行し、キー情報が無ければデスクランブルを実行しないようにされる。つまり、放送予定変更情報は、その契約を行ったユーザが所有するＶＴＲ１１２においてのみ、適正に利用することが可能となる。
【００３４】
また、この場合には、ＶＴＲ１１２は、電話回線１０４を介してネットワークとしてのインターネット１０９とも接続されている。これにより、例えばＶＴＲ１０９では、インターネット１０９を介しての通信も可能な構成を採ることができる。
【００３５】
パーソナルコンピュータ１１３は、例えば、ＶＴＲ１１２にて受信したビデオ信号、オーディオ信号としてのデータを取り込んで各種所要の編集処理を行うことができる。また、ユーザのパーソナルコンピュータ１１３に対する操作によって、ＶＴＲ１１２の動作制御を行うことも可能とされる。
また、電話回線１０４を介してインターネット１０９とも接続されることで、このインターネット１０９を介しての通信を行うことも可能とされている。
【００３６】
１−２．ＶＴＲの構成
続いて、上記図１においてＡＶシステム３を形成する機器のうち、本実施の形態の記録装置、受信装置となるＶＴＲ１１２の内部構成例について、図２のブロック図を参照して説明する。
【００３７】
この図２に示すＶＴＲ１１２において、入力端子Ｔ１には図１に示したパラボラアンテ１１１のＬＮＢ１１５により所定の周波数に変換された受信信号が入力され、この受信信号がＲＦ／検波部１に供給される。
ＲＦ／検波部１では、入力された受信信号について、ＲＦ信号処理を行うと共に、システムコントローラ５の制御によって決定される受信周波数としてのキャリアを選択して、例えばビタビ復調処理や誤り訂正処理等を施すことで、ストリームデータを得るようにされる。そして、このストリームデータを検波出力として、放送予定変更情報検出部２及びＡ／Ｖ信号検出部１２に対して出力する。
【００３８】
放送予定変更情報検出部２は、ここではデータ処理部３とデスクランブラ４から成る。
ＲＦ／検波部１から放送予定変更情報検出部２に対して出力された検波出力としてのストリームデータは、例えばデータ処理部３としての処理により、例えばストリームデータ内のヘッダなどを参照することで、放送予定変更情報が挿入されているか否かを判定する。そして放送予定変更情報が挿入されていれば、放送予定変更情報を抽出するためのデータ処理を行う。なお、上記処理段階で得られる放送予定変更情報はスクランブルがかかっているままの情報とされる。
そして、デスクランブラ４では、上記のようにして抽出された放送予定変更情報についてデスクランブルを行う。
このときには、例えば放送予定変更情報に対応付けて送信されてきたデスクランブルのためのキー情報と、ＶＴＲ１１２側のシステムコントローラ５で保持している放送予定変更情報のためのキー情報とを照合して、認証が得られればデスクランブラ４による処理を実行するようにされる。つまり、放送予定変更情報サービスを契約して適正に料金を支払っているユーザのＶＴＲ１１２によってのみ、放送予定変更情報のデスクランブル処理を実行することが可能となる。
また、データ処理部３は、必要があれば、デスクランブル処理が施された放送予定変更情報に対しても所要の処理を実行することができる。
そして、このようにして得られた放送予定変更情報は、システムコントローラ５に対して伝送される。システムコントローラ５では、このようにして取得した放送予定変更情報に基づいて、後述するようにして予約録画動作を制御することができる。
【００３９】
ＡＶ信号検出部９もまた、データ処理部１０とデスクランブラ１１から成る
データ処理部１０では、ＲＦ／検波部１から出力された検波出力としてのストリームデータについて、例えばストリームデータ内のヘッダを参照することで、放送番組としてのビデオデータ信号、オーディオデータ信号を抽出する。なお、以降においては、この放送番組としてのビデオデータ信号、オーディオデータ信号については、一括して「Ａ／Ｖ信号」ともいうことにする。
そしてデスクランブラ１１において、必要があれば、上記のようにして抽出されたＡ／Ｖ信号についてデスクランブルを行う。
このときにも、例えば放送番組に対応して送信されてきたデスクランブルのためのキー情報と、ＶＴＲ１１２側のシステムコントローラ５で保持している放送番組用のキー情報とを照合して、認証が得られればデスクランブラ１１による処理を実行するようにされる。
上記のようにしてデスクランブル処理が施されたＡ／Ｖ信号は、Ａ／Ｖ信号処理部１２に対して出力される。なお、この場合にも、データ処理部１０は、必要に応じて、デスクランブル処理が施されたＡ／Ｖ信号に対する所要の処理を実行することが可能とされる。
【００４０】
信号入出力部１５は、Ａ／Ｖ信号の入出力のためのインターフェイスであり、例えば図のように、バッファ１６とドライバ１７を備えて成る。ここで信号入出力部１５では、デジタルデータ化されたＡ／Ｖ信号について処理を実行するものとされる。従って、例えば図示しないアナログＡ／Ｖ信号入力端子からアナログ信号としてのＡ／Ｖ信号が入力された場合には、図示しないＡ／Ｄコンバータによってデジタル信号に変換した後に、この信号入出力部１５に対してＡ／Ｖ信号を入力するようにされる。また、同様にして、ここでは図示しないアナログＡ／Ｖ出力端子からＡ／Ｖ信号を出力する際には、図示しないＤ／ＡコンバータによってアナログＡ／Ｖ信号に変換を行うようにされる。
【００４１】
信号入出力部１５に対してデジタル信号としてのＡ／Ｖ信号が入力されたときには、ドライバ１７の制御によって、バッファ１６を介してＡ／Ｖ信号を後述するＡ／Ｖ信号処理部１２に対して出力する。
また、Ａ／Ｖ信号処理部１２からＡ／Ｖ信号が出力されてきた場合には、ドライバ１７の制御によって、バッファ１６を介してＡ／Ｖ信号を外部に出力するようにされる。そして、例えばこのＡ／Ｖ信号の出力をモニタ装置１１４に接続していれば、当該ＶＴＲ１１２にて受信した放送番組、又はテープカセット２８から再生したデータを、画像音声としてモニタ装置１１４から出力させることができる。
【００４２】
Ａ／Ｖ信号処理部１２は、入力されたＡ／Ｖ信号について記録、再生、又は表示出力／音声出力のための所要の信号処理を実行する。このために、Ａ／Ｖ信号処理部１２は、信号処理部１３と変調／復調処理部１４を備える。
この場合、Ａ／Ｖ信号処理部１２に対しては、Ａ／Ｖ信号検出部９及び信号入出力部１５からＡ／Ｖ信号が入力可能とされているが、信号処理部１３においては、これらの入力されたＡ／Ｖ信号について所要の信号処理を施す。例えば信号処理部１３では、入力されたＡ／Ｖ信号が所定方式によって圧縮処理が施されたものであるのならば、伸長処理を施すことなどが行われる。
なお、例えば記録時において、データ圧縮処理を実行する必要があり、なおかつ、このデータ圧縮方式が、入力されたＡ／Ｖ信号に対して行われているデータ圧縮方式と同じである場合には、特にここでデータ伸長処理を実行する必要はない。
また、信号処理部１３においては、入力されたＡ／Ｖ信号について、表示出力／音声出力可能なフォーマットのＡ／Ｖ信号データとするための信号処理も実行可能とされており、ここで、表示出力／音声出力のための信号処理が施されたＡ／Ｖ信号は、前述した信号入出力部１５に供給されて、ここから表示のためのＡ／Ｖ信号が外部に対して出力される。
【００４３】
また、Ａ／Ｖ信号処理部１２内部の変調／復調処理部１４は、磁気テープへの記録のための変調処理、及び磁気テープから読み出した情報を再生されたＡ／Ｖ信号として得るための復調処理が実行される。
例えば記録時においては、変調／復調処理部１４は、必要に応じて、データ圧縮処理、エラー訂正符号の付加、及びテープカセットへの記録に適合した所要の変調処理などを施してＡ／Ｖ信号を記録信号化する。そして、この記録信号化されたＡ／Ｖ信号をメカデッキ部１８に対して出力する。
【００４４】
メカデッキ部１８は、信号回路部１９と機構部２０より成る。
機構部２０は、装填されたテープカセット２８の本体内への引き込み動作やイジェクト動作、また、内部に装填されたテープカセット２８に巻装されている磁気テープのローディング及びアンローディングなどのための機構部を備えて成る。また、記録再生時、又は早送り／巻き戻し時において、磁気テープを所要の速度で走行させるための磁気テープの駆動機構も備えられて成る。
【００４５】
信号回路部１９では、記録時であれば上記Ａ／Ｖ信号処理部１２から出力された記録信号に基づいて、図示しない磁気ヘッドを駆動することで、磁気ヘッドによりテープカセット２８の磁気テープに対してデータ記録が行われるように動作する。これにより、テープカセット２８の磁気テープには磁気情報によりＡ／Ｖ信号のデータが記録される。つまり、録画が行われるものである。
【００４６】
また、信号回路部１９では、再生時であれば、磁気ヘッドにより磁気テープから読み出された磁気情報としてのデータを電気信号に変換して再生信号としてＡ／Ｖ信号処理部１２に対して出力する。
【００４７】
Ａ／Ｖ信号処理部１２に入力された上記再生信号は、変調／復調処理部１４において、必要に応じて、所要の復調処理、エラー訂正処理、及びデータ伸長処理等が施される。そして信号処理部１３では、必要があれば所要の信号処理を施して、信号入出力部１５に対して例えば表示出力のためのＡ／Ｖ信号として出力する。
【００４８】
システムコントローラ５は、例えばマイクロコンピュータ、ＲＡＭ、ＲＯＭ等を備えて構成され、当該ＶＴＲ１１２内部の各機能回路部の動作を制御する。
この図にあっては、システムコントローラ５の構成として、マイクロコンピュータとしてのＣＰＵ６と、予約録画メモリ７、時計８ａ、タイマ８ｂが図示されている。
【００４９】
ＣＰＵ６は、各種制御のための演算処理を実行する。
予約録画メモリ７は、例えば不揮発性メモリなどにより構成され、ユーザの操作部２４に対する操作によって登録された予約録画設定情報が記憶される。この場合、予約録画設定情報としては、先にも述べたように、録画チャンネル、録画開始時刻、録画終了時刻を指定した情報が少なくとも必要となるが、例えば他にも、記録時のテープ走行速度などの設定情報が含まれてもよいものである。
時計８ａは、現在時刻について計時を行うためのものとされる。
タイマ８ｂはＣＰＵ６の制御によって時間をカウントする機能を有する。
【００５０】
上記予約録画メモリ７と時計８ａとに関しては、予約録画としての基本的な動作を実現するために必要となるものである。
つまり、ＣＰＵ６は、予約録画メモリ７に記憶されている予約録画設定情報として指定されている録画開始時刻を待機している。そして、例えば時計８ａにより計時される時刻が、予約録画設定情報の録画開始時刻に至ったとされると、その予約録画設定情報により指定されるチャンネルが選局されるための制御を実行し、現在装填されているテープカセット２８の磁気テープに対して、この選局されたチャンネルのＡ／Ｖ信号の記録を開始するための制御を実行する。そして、時計８ａにより計時される時刻が、予約録画設定情報の録画終了時刻に至ったとされると、これまで実行していた記録動作を停止させる。これが、予約録画の基本的な動作となる。
そして、本実施の形態にあっては、システムコントローラ５は、受信して取得した放送予定変更情報により示される放送予定の変更内容に応じて、後述するようにして、予約録画動作の実行内容を変更するための制御も実行可能とされている。
【００５１】
また、タイマ８ｂは、後述するようにして本実施の形態の第２例としての予約録画動作を実現する際に必要となる。
【００５２】
また、本実施の形態のＶＴＲ１１２においては、通信回線処理部２１が備えられる。この通信回線処理部２１は、本実施の形態の場合であれば、所定方式のデータインターフェイスを介して、パーソナルコンピュータ１１３とローカルで通信可能とするためのデータインターフェイスとしての機能を有しているものとされる。また、これに加えて電話回線１０４を介してのデータ通信を可能とするためのデータインターフェイスとしての機能も有しているものとされる。
【００５３】
本実施の形態において、通信回線処理部２１を介して通信する情報としては、１つには、課金情報が挙げられる。この課金情報は後述するようにして、課金情報メモリ２２に対して記憶されている課金情報を、電話回線１０４を介して課金サーバ１０５に対して送信するものである。また、パーソナルコンピュータ１１３からは、当該ＶＴＲ１１２を操作するためのコントロールコマンドも送信可能とされており、このコントロールコマンドも通信回線処理部２１を介して、ＶＴＲ１１２のシステムコントローラ５が受信可能とされる。
このようにして受信したコントロールコマンドに応答した動作が得られるように、システムコントローラ５が内部機能回路部に対して所要の制御処理を実行することで、パーソナルコンピュータ１１３によるＶＴＲ１１２の操作が実現される。
なお、パーソナルコンピュータ１１３からＶＴＲ１１２に対してコントロールコマンドを送信できるようにするには、例えばパーソナルコンピュータ１１３にＶＴＲ１１２を操作するためのアプリケーションソフトウェアをインストールする。そして、このアプリケーションソフトウェアを起動させて、例えばユーザが操作を行うようにすればよい。
【００５４】
課金情報メモリ２２は、当該ＶＴＲ１１２の利用にあたり、ユーザが料金を必要となる何らかのサービスを受けたときに、その課金情報が記憶されるメモリである。
一例として、例えば先にも述べたように、いわゆるペイ・パー・ビューといわれる、番組ごとに料金を支払うシステムを利用した際に、その視聴した番組の履歴に応じた課金情報が記憶される。また、本実施の形態にあっては、放送予定変更情報を利用するサービスを契約して料金を払っているか否かの情報も記憶されている。
例えば、システムコントローラ５は、例えば上記したようなユーザが料金を必要となる何らかのサービスを受けたときに、その情報を課金情報として課金情報メモリ２２に対して書き込むようにされる。そして、課金情報メモリ２２に書き込んだ課金情報を、上記した通信回線処理部２１から電話回線１０４を介して課金サーバ１０５に送信する。
また、例えば、課金サーバ１０５に対して送信を行ったことで、以降は不要となった課金情報については、システムコントローラ５の制御によって課金情報メモリ２２から削除を行うこともできるようになっている。
【００５５】
なお、課金情報メモリ２２は、ＶＴＲ１１２内部に所定種類の不揮発性メモリを備えるようにしてもよいし、例えばフラッシュメモリなどのメモリ素子を用いたカード型などの形態として、ＶＴＲ１１２に対して装脱可能な構成を採るものとしてもよいものである。
【００５６】
操作部２４には、当該ＶＴＲ１１２に対してユーザが各種操作を行えるようにするための各種操作子が設けられる。例えば、録画、再生、及び早送り／巻き戻しを始め、各種テープの記録再生に関する操作を行うための各種操作子が備えられている。また、本実施の形態にあっては、予約録画のための設定を行うための操作子も備えられている。
上記操作部２４に対して行われた操作情報は、ユーザインターフェイス部２３を介して、システムコントローラ５に対して出力される。システムコントローラ５では、この入力された操作情報に応じて所要の制御処理を実行することになる。例えば、予約録画設定のための操作子を操作すれば、この操作によって指定された内容の予約録画設定情報を予約録画メモり７に対して新規に記憶させることができる。
【００５７】
なお、ここでの操作部２４としては、例えばＶＴＲ１１２の本体に設けられる各種キーであっても構わないし、例えば赤外線や電波を利用しての遠隔操作を可能とするリモートコントローラであっても構わない。この操作部２４がリモートコントローラであれば、ユーザインターフェイス部２３としては、上記赤外線や電波による操作情報を受信可能な構成を採ることになる。
【００５８】
また、表示部２５は、ＶＴＲ１１２本体に備えられて、例えば、現在の記録再生状況や現在選局中にあるチャンネルなどの、各種所要の情報を表示する。
このような表示は、システムコントローラ５の制御によって行われ、ここでは、表示のためのデータをユーザインターフェイス部２３を介して表示部２５に対して出力することで、上記した表示部２５における表示が実現されるものとしている。
【００５９】
電源回路部２６は、商用交流電源２７を入力して、当該ＶＴＲ１１２の各機能部に対して所要のレベルによる直流の動作電源を供給するために設けられる。また、この電源回路部２６は、例えば図示しないスタンバイ電源が動作している状態では、例えば電源オン／オフのための操作や、録画予約の開始／終了に伴って、システムコントローラ５の制御によって、メイン電源のオン／オフが可能とされている。
【００６０】
２．本実施の形態の予約録画動作
２−１．第１例
これまでの説明から分かるように、本実施の形態では、放送予定の変更があったとされるときに地上局１側から、その変更内容を示す放送予定変更情報が番組の放送と共に送信される。そして、ＶＴＲ１１２においては、受信して取得した放送予定変更情報に基づいて、以降説明するようにして、これまで実行していた予約録画動作についての変更を行うようにされる。これにより、臨時的に放送予定に変更があったとしても、ユーザが予約録画情報として登録したことで本来録画を行いたいとしていた番組を、その開始から終了までテープに収録できるようにするものである。
【００６１】
ところで、本来予定していた放送予定が変更されることで、ユーザが登録した予約録画番組をその開始から終了まで録画できない可能性が生じる場合としては、次のような状況が考えられる。
例えば１つには、予約録画を行っていた番組より前に放送されている或る番組について、その放送時間の延長が行われ、以降の番組の放送時間帯がその延長時間分だけ繰り下げられる場合である。例えば野球などのスポーツの放送が延長される場合がこれに該当する。
また、１つには、例えば予約録画すべき番組の開始は予定の時刻どおりに行われたのであるが、例えば臨時ニュースなどの臨時番組の挿入によってその番組が中断され、予約録画すべき番組の残る内容は、この挿入された臨時番組の終了後に引き続いて行われるような場合である。
【００６２】
そこで、上記した事情を考慮して、本実施の形態の放送予定変更情報としては次のようにして規定されているものとする。
第１規定．  番組の放送時間が延長されることになった場合には、この延長された番組より以降の番組についての、変更された放送開始時刻及び放送終了時刻を少なくとも放送予定変更情報として送信する。
また、この場合の放送予定変更情報の送信タイミングとしては、この延長された番組より以降の各番組についての新規に変更された放送時刻が確定したときに送信するものとする。また、変更前の本来の放送予定に従って番組が放送開始されるタイミングで、その番組についての放送予定変更情報を送信するものとする。
第２規定．  番組の放送途中に臨時番組が挿入された場合には、臨時番組の開始時において、この臨時番組の放送開始を通知する情報を放送予定変更情報として送信し、臨時番組の終了時において、この臨時番組の放送終了を通知する情報を放送予定変更情報として送信する。
なお、以降の記述においては、上記第１規定に従って送信される放送予定変更情報については第１放送予定変更情報といい、第２規定に従って送信される放送予定変更情報については、第２放送予定変更情報ということにする。
【００６３】
上記した放送予定変更情報についての規定を前提とし、先ず本実施の形態の予約録画動作として、第１例について説明する。
第１例は、或る番組の放送時間が延長されることで、それより以降の番組の放送時間帯が繰り下げられるようにして、放送予定の変更が行われる場合に対応した予約録画動作である。
【００６４】
例えば図３（ａ）には、或るチャンネルにおいて、本来予定していた放送スケジュールを示している。例えば時刻ｔ１までは番組１を放送し、時刻ｔ１から時刻ｔ２までは番組２を放送するものとして予定を組んでいる。例えば、この放送スケジュールに従って、番組表などが作成される。従って、ユーザが番組２を予約録画したいとすれば、この番組２の放送チャンネル、録画開始時刻として時刻ｔ１、録画終了時刻としてｔ２を指定して、予約録画の設定登録を行うことになる。
そして、図３（ｂ）に示すように、実際に放送が行われた番組１について放送時間の延長が行われて、例えば時刻ｔ１よりも遅い時刻ｔ３に終了したとする。この場合、番組１に続く番組２は、時刻ｔ３から予定放送時間を経過した時刻ｔ４の時間帯にわたって放送されることになる。つまり、本来よりも放送時間が繰り下げられる。
この場合、図３から分かるように、先に登録した予約録画設定内容に基づいて予約録画を行ったとすれば、時刻ｔ１から時刻ｔ２の期間にわたって録画動作を行うことになるため、番組２については時刻ｔ２から時刻ｔ４までのあいだに放送された後ろの部分は、録画されないことになる。
【００６５】
そこで本実施の形態では、上記図３により説明したような録画の失敗を防ぐために図４に示すような予約録画動作とする。図４においては、本実施の形態の第１例としての予約録画動作が手順▲１▼〜▲５▼として示されている。
手順▲１▼  先ずＶＴＲ１１２は、ユーザが先に登録した予約録画設定の内容に従って予約録画を開始する。例えば図３の場合であれば時刻ｔ１から予約録画を開始する。
手順▲２▼  この場合、上記手順▲１▼によって予約録画が開始されたときには、放送側ではこれまで放送している番組が延長されていることになる。しかし、番組延長決定に伴う、これより以降の番組の放送予定の変更内容を示す、先の第１規定に従っての第１放送予定変更情報の送信には、或る程度の遅れが生じる。これは例えば、放送側では番組を延長してその終了時間を決定しなければた、以降の番組の放送予定についての変更を決定することができない。そしてその変更内容が決定したら、先の第１放送予定変更情報を放送することになるためである。
そして、この手順▲２▼では、このようにして送信された第１放送予定変更情報を受信信号から検出するものである。このときには、既に予約録画動作が実行中にあるため、テープカセットには、これまでの録画内容が記録されている状態にある。
手順▲３▼  上記手順▲２▼により第１放送予定変更情報を検出した場合、ＶＴＲ１１２では、先ず、これまで行っていた録画動作を停止させる。ここで、これまでの録画動作により記録された録画内容は、ユーザが録画しようと思っている番組より１つ前の番組が延長されて放送されている内容となっていることから、ユーザにとっては不要な内容と見てよい。そこで、先の手順▲１▼により予約録画を開始したときのテープ位置にまで、磁気テープの巻き戻しを行う。そして、受信した放送予定変更情報により示される、現在延長されている次の番組についての、変更後の放送開始時刻に至るまで録画スタンバイの状態で待機する。
【００６６】
手順▲４▼  そして、現在延長されている次の番組についての変更後の放送開始時刻に至ると、録画動作を再開させる。この録画動作により、延長された番組の次の番組の放送開始から録画が行われることになる。また、このときには、手順▲１▼により先に記録された内容を上書き消去するようにして記録が行われていく。
手順▲５▼  上記手順▲４▼による録画動作が実行されている状態で、受信した第１放送予定変更情報により示される、現在延長されている次の番組についての、変更後の放送終了時刻に至ると、これまでの録画動作を終了させる。
【００６７】
本実施の形態では、上記のようにして、本来ユーザが録画したいとしていた番組を開始から終了まで録画できるように、第１放送予定変更情報の受信に応じて予約録画動作を変更するものである。そして、この予約録画動作は、例え、ユーザが登録した予約録画設定内容に基づく予約録画が開始された後においても、放送予定変更情報を受信することで実行可能とされている。
また、上記した予約録画動作によれば、磁気テープを巻き戻す動作が含まれることで、延長された番組の録画内容は上書き消去されることになる。これにより、例えばテープカセットの記録時間を無駄に消費することもなくなる。また、ユーザにとって不要な部分は記録されないことになるため、テープカセットの記録内容としてもユーザの意図に適ったものとなる。
【００６８】
続いて、上記図４に示した第１例としての予約録画動作を実現するための処理動作について、図５のフローチャートを参照して説明する。なお、この図に示す処理動作は、システムコントローラ５が実行するものとされる。
【００６９】
図５に示す処理においては、先ずステップＳ１０１において録画開始時刻に至るのを待機している。ここでは、予約録画メモリ７に登録されている予約録画設定情報として指定される録画開始時刻のうち、最も早い録画開始時刻に至るのを待機しているものである。
そして、例えば時計８ａによる計時時間が、上記ステップＳ１０１にて待機していた予約録画開始時刻に至ったとされると、システムコントローラ５はステップＳ１０２に進む。
ステップＳ１０２においては、予約録画としての録画動作を開始させる。つまり、予約録画メモリ７に記憶された予約録画設定情報により指定されるチャンネルが受信されるように制御すると共に、このチャンネルを受信して得られるＡ／Ｖ信号をテープカセットに記録させるための制御処理の実行を開始する。
【００７０】
次のステップＳ１０３においては、受信信号のなかから第１放送予定変更情報が検出されるか否かを判別している。ここで、第１放送予定変更情報が検出されないのであれば、ステップＳ１０５に進む。これに対して、放送予定変更情報が検出された場合には、ステップＳ１０４に進む。
なお、このステップＳ１０３においては、第２規定に従った第２放送予定変更情報は検出対象とはされず、第２放送予定変更情報が検出されたとしても、このステップＳ１０３の処理としては、否定結果が得られるようになっている。そして、第２放送予定変更情報が検出される場合には、後に説明する図９の処理が実行される。
【００７１】
ステップＳ１０４においては、予約録画設定内容変更処理を実行する。
このステップＳ１０４としての予約録画設定内容変更処理は、図４の場合であれば、手順▲３▼としての動作を実現するための処理となる。そしてこの処理は、図６のフローチャートに示すものとなる。
【００７２】
図６に示す処理にあっては、システムコントローラ５は、先ずステップＳ２０１において、これまで実行させていた録画動作を停止させるための制御処理を実行する。そして、次のステップＳ２０２において、先の図５のステップＳ１０２により実行された録画動作開始時のテープ位置にまで巻き戻しを行うようにされる。
例えば、システムコントローラ５は、例えば磁気テープから読み出した再生信号から磁気テープ上のアドレス、即ちテープ位置を認識することが可能とされる。そこで、システムコントローラ５は、ステップＳ１０２の処理による記録開始時のテープ位置の情報を記憶しておくようにされ、この記憶しておいたテープ位置にまで磁気テープを巻き戻すための制御処理を実行するものである。
【００７３】
そして、次のステップＳ２０３においては、現在予約録画メモリ７に記憶されている予約録画設定情報のうち、これまでの予約録画動作に利用した予約録画設定情報について変更、即ち書き換えを行って、再登録を行う。
この処理は、先のステップＳ１０３にて検出した第１放送予定変更情報の内容に基づいて実行される。つまり、検出を行った第１放送予定変更情報が示す放送開始時刻と放送終了時刻が、それぞれ、予約録画設定情報の録画開始時刻と録画終了時刻となるようにして書き換えを行い、再登録を行うものである。
【００７４】
そして、次のステップＳ２０５においては、上記ステップＳ２０４にて書き換えが行われた予約録画設定情報が指定する録画開始時刻に至るのを待機しており、ここで録画開始時刻に至ったことが判別されると、ステップＳ２０６において録画を開始させる。このステップＳ２０６の処理は、図４の場合であれば手順▲４▼に相当する。そしてステップＳ２０６の処理が終了すると、図５のステップＳ１０５の処理に進む。
【００７５】
ステップＳ１０５においては、現在時点において予約録画設定情報として設定されている録画終了時刻が経過した状態にあるか否かが判別される。ここで、録画終了時刻が経過していない場合には、ステップＳ１０３の処理に戻るようにされるが、録画終了時刻に至ったことが判別されたのであれば、ステップＳ１０６に進む。
ステップＳ１０６では、これまでの録画動作を終了させるための制御処理を実行する。
【００７６】
上記図５及び図６に従った処理経過として、例えばステップＳ１０２にて録画動作が開始されて終了するまで第１放送予定変更情報が検出されなかった場合には、ステップＳ１０４の処理を実行することはないため、ユーザが予め登録した予約録画設定情報に従って予約録画が実行されることになる。
これに対して、ステップＳ１０２にて録画動作が開始されて後に第１放送予定変更情報が検出された場合には、ステップＳ１０４の処理が実行されることになって、先に図４に示した本実施の形態としての予約録画動作が実現される。
【００７７】
また、例えば実際には、一度或る時刻まで番組を延長させることを決定した後、更にその番組を延長させることを決定するような場合も考えられる。このような場合には、延長が決定されるごとに異なる内容の第１放送予定変更情報が送信されることになるのであるが、上記図６に示した処理では、このような状況にも対応することが可能である。
つまり、例えば１回目の第１放送予定変更情報の検出に基づいてステップＳ１０４の処理を実行して録画を再開させた後に、２回目の第１放送予定変更情報が検出されたとすれば、この２回目の第１放送予定変更情報の検出に応じて、再度ステップＳ１０４の処理が実行されることになる。従って、１回目の第１放送予定変更情報の検出に基づくステップＳ１０４の処理によって記録された録画内容は、その開始位置にまで巻き戻される。そして、この後に録画が再開されるために、これまでの不要な録画部分は残らないように、ユーザが希望する番組を予約録画することができるものである。
【００７８】
なお、ステップＳ１０４の実際の処理としては、図６に示した動作を実現するための処理に限定されるものではない。つまり、番組が延長された場合に対応した予約録画動作としては、図４に示した動作、手順に限定されるものではない。例えば、第１放送予定変更情報を受信した時点で単にこれまでの録画動作を停止させて、新規に変更された録画開始時間に至ったら録画を再開させるようにしてもよい。この場合には、延長された番組の記録内容がある程度残ることになるが、巻き戻しのための制御処理が不要となるため、その処理及び機器の動作としては、より軽いものとすることができる。
【００７９】
２−２．第２例
続いて、第２例としての本実施の形態の予約録画動作について説明する。第２例は、或る番組に対して例えば臨時ニュースなどの臨時番組が挿入された場合に対応する。それより以降の番組の放送時間帯が繰り下げられるようにして、放送予定の変更が行われる場合に対応した予約録画動作である。
【００８０】
図７は、このような第２例としての予約録画動作例を示している。例えば本来の予定としては、図７（ａ）に示すようにして番組１を時刻ｔ１〜時刻ｔ３の時間帯で放送するものとしている。そして、ユーザは、この番組１を予約録画するために、録画開始時間、録画終了時間として、それぞれ時刻ｔ１、時刻ｔ３を指定して予約録画設定情報を登録したものとする。
【００８１】
ここで、実際に番組１が放送されたときの状況として、時刻ｔ１をしばらく経過した時刻ｔ２において、これまで放送していた番組１が中断され、臨時番組である番組２が挿入されたとする。つまり、図７（ｂ）に示すようにして、番組１の開始時刻ｔ１から時刻ｔ２までの内容である番組１−ａの部分までを放送した後に番組２に切り替わるものである。そして、この番組２は時刻ｔ４を以て終了し、時刻ｔ４以降においては、番組１の残りである、番組１−ｂの内容が放送される。そして、時刻ｔ５において番組１−ｂが終了する。
【００８２】
この場合にも、仮に、予めユーザが登録した予約録画設定情報に基づいて予約録画動作を行ったとすると、後半の番組１−ｂの部分を全て録画することはできないことになる。
【００８３】
そこで、本実施の形態では、図７（ｃ）に手順▲１▼〜▲５▼として示すようにして予約録画動作を実行する。
手順▲１▼  ユーザが予め登録した予約録画設定情報により指定される録画開始時刻ｔ１から録画を開始する。
手順▲２▼  時刻ｔ２に至って番組２の挿入が開始される場合、放送側からは、第２規定に従って、この臨時番組である番組２の開始を通知する第２放送予定変更情報が送信される。そして、ＶＴＲ１１２では、この第２放送予定変更情報を受信して検出を行うことになる。
手順▲３▼  上記手順▲２▼により第２放送予定変更情報を検出すると、これまでの録画動作を停止させ、録画スタンバイの状態で待機する。
手順▲４▼  時刻ｔ４に至って番組２が終了するタイミングで、放送側からは番組２の終了を通知する第２放送予定変更情報が送信される。ＶＴＲ１１２ではこの第２放送予定変更情報を受信して検出する。そして、この第２放送予定変更情報の検出に応じて、録画動作を再開させることになる。これにより、番組１の後半部分である番組１−ｂの録画が開始される。
手順▲５▼  上記手順▲４▼により録画を再開させた後、ＶＴＲ１１２では、ユーザが最初に登録した予約録画設定情報の録画開始時刻ｔ３、つまり本来の番組１の終了時刻から番組２の放送時間分をシフトさせて得られる時刻ｔ５を算出しておくようにする。この時刻ｔ５は、番組１−ｂが終了する時刻となる。そしてこの時刻ｔ５に至ったら録画動作を終了させる。
【００８４】
上記した手順に従って予約録画動作が実行されることで、本実施の形態では、予約録画動作中に臨時番組が挿入されたとしても、本来ユーザが録画しようと思って予約していた番組を最初から最後まで録画することが可能になる。
また、上記手順では、臨時番組が開始されるタイミングでそれまでの録画動作が停止されることで臨時番組は録画されないため、例えば録画を予約した番組の前半部分の終わりと、後半部分の始まりをほぼ繋げるようにして録画することも可能となる。
【００８５】
続いて、上記図７により説明した第２例としての予約録画動作を実現するための処理動作を図８のフローチャートに示す。なお、この図に示す処理もシステムコントローラ５が実行するものとされる。また、この図に示す処理は、ユーザが登録した予約録画設定情報に基づいて、既に録画動作が実行中にある状態で開始されるものである。
【００８６】
図８に示す処理においては、先ずステップＳ３０１において、臨時番組開始を通知する第２放送予定変更情報が検出されるか否かを判別しており、否定結果が得られた場合には、ステップＳ３０８に進む。
【００８７】
先にステップＳ３０８を説明しておくと、ここでは、現在録画動作中にある番組に対応する予約録画設定情報が指定する録画終了時刻に至ったか否かを判別している。そして録画終了時刻に至っていないことが判別された場合には、ステップＳ３０１の処理に戻るようにされる。これに対して、ステップＳ３０８において録画終了時刻に至ったことが判別されたのであれば、ステップＳ３０９に進んでこれまでの予約録画動作を終了させるための処理を実行してこのルーチンを抜ける。
【００８８】
従って、例えば、ユーザが設定した予約録画設定情報に従って録画が開始されて後、臨時番組の挿入が全く無く、第２放送予定変更情報が検出されなかったとすれば、次に説明するステップＳ３０２〜Ｓ３０７の処理は実行されず、ユーザが設定した予約録画設定情報が指定したとおりの録画終了時間に録画が終了することになる。そして結果的には、ユーザが録画予約した番組をその開始から終了まで録画できていることになる。
【００８９】
これに対して、ステップＳ３０１において臨時番組開始を通知する第２放送予定変更情報が検出された場合にはステップＳ３０２以降の処理に進む。
ステップＳ３０２においては、先ず、これまでの録画動作を停止させ、録画スタンバイ状態とするための制御処理を実行する。
そして、続くステップ３０３において、上記ステップＳ３０２における録画動作停止のタイミングで、システムコントローラ５内に備えられているタイマ８ｂにより、録画停止時間をｓＴのカウントを開始する。
【００９０】
次のステップＳ３０４においては、臨時番組の終了を通知する第２放送予定変更情報が検出されるのを待機している。なお、このステップＳ３０４までの処理は、図７の場合であれば、手順▲３▼までの動作に対応する。
そして、ステップＳ３０４において、臨時番組の終了を通知する第２放送予定変更情報の検出が行われたことを判別すると、ステップＳ３０５に進んで、録画動作を再開させるための制御を実行する。
そして、上記ステップＳ３０４による録画動作の再開タイミングに合わせて、続くステップＳ３０６の処理により、録画停止時間ｓＴのカウントを停止する。
【００９１】
次のステップＳ３０７においては、現在の予約録画動作に対応する予約録画設定情報の録画終了時刻を変更するための処理が実行される。この処理は、録画終了時刻をｅＴとして、ｅＴ←ｅＴ＋ｓＴとして表すことができる。つまり、変更前の録画終了時刻ｅＴに対して録画停止時間ｓＴのカウント値としての時間を加算して得られる時刻を、更新された録画終了時刻ｅＴとするものである。
そして、現在の予約録画動作に対応する予約録画設定情報の録画終了時刻が、上記のようにして更新した録画終了時刻ｅＴとなるように書き換えを行うようにされる。つまり、臨時番組の挿入に応じた予約録画設定情報の内容についての変更を行う。
上記ステップＳ３０８の処理が終了した後は、ステップＳ３０８の処理に進む。ここで、ステップＳ３０２〜Ｓ３０８の処理を経てステップＳ３０８に移行した場合、ステップＳ３０８においては、先のステップＳ３０７にて変更された予約録画設定情報の録画終了時刻に至ったか否かが判別されることになる。
【００９２】
そして、この処理によれば、例えば、一度、臨時番組の挿入があってステップＳ３０２〜Ｓ３０８の処理を実行した後、再度臨時番組の挿入があって録画予約した番組の内容が更に分断されることになったとしても、再びステップＳ３０２〜Ｓ３０８が実行されることで、結果的にテープカセットには、録画予約した番組の各内容がつながるようにして録画されることになる。
【００９３】
なお、実際に臨時番組の開始を通知する第２放送予定変更情報の送信は或る程度の遅れをもって、ＶＴＲ１１２側で受信検出される可能性もあり、この場合には、磁気テープに臨時番組が或る程度の長時間記録されてしまう。そこで、ステップＳ３０２の処理に際しては、臨時番組が記録開始されたテープ位置にまで磁気テープを巻き戻すようにすることも考えられる。このためには、例えば臨時番組の開始を通知する第２放送予定変更情報として、その開始時刻も送信するようにすることが考えられる。このようにすれば、例えば第２放送予定変更情報により示される臨時番組の開始時刻と、ＶＴＲ１１２側の時計８ａとの時間差に基づいてテープの巻き戻し量を算出することが可能になる。
【００９４】
また、臨時番組の開始、終了を通知する第２放送予定変更情報に対して、それぞれ臨時番組の開始時刻、終了時刻を含めるようにすれば、この開始時刻と終了時刻との時間差を算出することによって臨時番組の放送時間を求めることができ、この臨時番組の放送時間を利用して、ステップＳ３０７としての録画終了時刻の修正を行うことが可能になる。従ってこの場合には、タイマ８ｂによる録画停止時間ｓＴをカウントするための処理を実行する必要はなくなる。
【００９５】
２−３．第３例
続いて、第３例としての予約録画動作について説明する。
上述してきた第１例及び第２例は、放送側から送信されてくる放送予定変更情報に基づいて、それまで実行していた予約録画動作の変更を行うようにしているものであるが、本発明の目的として、予約録画を実行中においても、外部からの情報に基づいて予約録画動作の変更が行えるようにすることを考えれば、必ずしも、放送側から放送予定変更情報を送信する形態のみに限定されるものではない。
【００９６】
そこで、第３例として、パーソナルコンピュータ１１３からの操作によって、現在実行中の予約録画動作を変更する場合を挙げることとする。
図９は、この第３例としての予約録画動作を実現するためのシステムコントローラ５の処理動作を示すフローチャートである。なお、この図に示す処理が実行されるためには、図１にて説明したように、ＶＴＲ１１２とパーソナルコンピュータ１１３が接続されていることが必要となる。パーソナルコンピュータ１１３は、図２に示した通信回線処理部２１を介して所定のデータインターフェイスを介してＶＴＲ１１２と接続されているものである。これにより、パーソナルコンピュータ１１３からは、ＶＴＲ１１３を操作するためのコントロールコマンドを送信することが可能なる。
また、ここでのパーソナルコンピュータ１１３から送信されてくるコントロールコマンドは、例えば、番組の放送予定の変更に応じて修正した予約録画設定情報であるものとする。或いは、先の第１例及び第２例にて説明した第１、第２放送予定変更情報に準じた内容の情報とされてもよい。
また、この図に示す処理もまた、ユーザが登録した予約録画設定情報に基づいて、既に録画動作が実行中にある状態で開始されるものである。
【００９７】
図８に示す処理においては、予約録画動作が実行中にある状態の下で、ステップＳ４０１において、パーソナルコンピュータ１１３から送信されてくるコントロールコマンドが受信されるか否かを判別している。ここで、コントロールコマンドが受信されないことが判別された場合には、ステップＳ４０４の処理に進む。
【００９８】
ステップＳ４０４では、予約録画メモリ７に記憶されている、現在の予約録画動作に対応した予約録画設定情報の録画終了時刻に至ったか否かが判別される。そして、予約録画終了時刻に至ったことが判別されれば、ステップＳ４０５に進んで録画動作を終了するが、予約録画終了時刻に至っていないと判別された場合にはステップＳ４０１に進む。
【００９９】
これに対してステップＳ４０１にて、コントロールコマンドを受信したことが判別されれば、ステップＳ４０２に進む。ステップＳ４０２においては、受信したコントロールコマンドから予約録画設定情報としての内容を抽出して取得する。そして、次のステップＳ４０３においては、取得した予約録画設定情報に基づいて、予約設定内容の変更処理を行う。
ここでは、上記ステップＳ４０３の処理については詳述しないが、取得した予約録画設定情報の内容に基づいて、適宜所要の予約録画動作の実行内容についての変更制御、及び予約メモリ７に記憶されている予約録画設定情報の書き換え等を行うようにすればよい。例えば、先の第１例におけるステップＳ１０４に準じた処理のほか、第２例としてのステップＳ３０２〜Ｓ３０７に準じた処理を実行するようにしてよいものである。
【０１００】
そして、このステップＳ４０３の処理が終了したら先に説明したステップＳ４０４の処理に移行することになる。ここで、ステップＳ４０２→Ｓ４０３の処理を経てステップＳ４０４に至った場合には、ステップＳ４０３の処理によって予約メモリ７に記憶されている予約録画設定情報が変更されているのであれば、この変更された予約録画設定情報の録画終了時刻に至ったか否かが判別される。
【０１０１】
なお、上記第３例としては、パーソナルコンピュータ１１３から送信されたコントロールコマンドに基づいて予約録画動作の変更を行うようにしているのであるが、例えば、パーソナルコンピュータ１１３に代えて、電話回線を通じたユーザ操作などによって、予約録画動作を実行中にも、これまで説明したような予約録画動作の変更が行えるようにしてもよいものである。
【０１０２】
また、上記実施の形態にあっては、放送システムとして、デジタル衛星放送に対応するシステムを例に挙げたが、本発明はアナログ放送システムにも対応することができる。この場合には、例えば第１例及び第２例で使用した放送予定変更情報を送信するのにあたっては、例えば、いわゆるＧコードに従った形態で放送信号に重畳することが考えられる。
また、本発明としては、例えばビデオ映像／音声信号としての放送を録画する構成だけではなく、例えば音声のみによる放送番組、若しくはデータ放送を予約記録するような場合にも適用できるものである。
【０１０３】
また、本発明としての記録装置、受信装置は、ＶＴＲに限定されるものではなく、例えば所定種類のディスク状記録媒体に録画を行うようなビデオレコーダに対しても適用が可能とされる。
この場合に、例えば第１例にて説明したようにして、延長された番組の録画部分を消去するためには次のようにすればよい。
例えば、ディスクの記録再生を管理するための管理情報も記録されているディスクであれば、延長された番組を記録したエリアが未記録領域として管理されるように管理情報の書き換えを行うようにするものである。これにより、延長された番組を記録したエリアは消去されたものと見なされ、データ記録可能なエリアとして管理されるものである、
【０１０４】
【発明の効果】
以上説明したように本発明は、予約録画（予約記録）動作中にあっても、例えば放送側から送信されてくる放送予定変更情報、又は、所定のインターフェイスを介してパーソナルコンピュータなどから送信されてくるコントロールコマンド（変更指示情報）を受け付け、これに基づいて以降の予約録画動作を変更することで、放送予定に変更があっても、ユーザが予約録画登録していた番組をその開始から終了まで録画することが可能になる。
例えば従来においては、予約録画動作の実行中にあっては、予約録画動作の実行内容についての変更を行うことは出来ずにいたのであるが、本発明ではこれを可能としたことで、放送予定の変更があったとしても予約録画が失敗する可能性を著しく低くすることができる。
また、放送側から送信されてくる放送予定変更情報に基づいて予約録画動作を変更する構成にあっては、放送予定変更情報さえ得られれば、以降は、自動的に予約録画動作の変更が行われる。この場合、例えばユーザが電話回線などを介してＶＴＲなどを操作するなどのように、ユーザが何らかの操作を行う必要はないために、利便性も得られるものである。
【０１０５】
また、放送側から送信されてくる放送予定変更情報に基づいて予約録画動作を変更する構成において、放送予定変更情報が放送番組の放送時間帯の遅延を示すものである場合には、これまでの予約記録動作を一時終了させる記録終了制御を実行して、この後、遅延された放送番組の放送開始時間に至ったときに予約記録動作が再開されるようにすることで、この放送番組の遅延された内容を録画し続けることが避けられる。これにより、例えば記録媒体の記録容量の節約が図られるものである。
また、この予約記録動作を一時終了させたときに、それまでの記録内容が消去されるようにすることで、更に記録容量の節約が図られることになる。また、ユーザにとって不要な内容は記録媒体から削除されていることになるため、特に後に編集を行わなくともユーザの意図に適った内容が記録された記録媒体を得ることができるものである。ここで、記録媒体がテープ状記録媒体なのであれば、記録内容が消去されるようにするには、予約記録動作を一時終了させたときのテープ位置からテープ状記録媒体の巻き戻しを行えばよく、簡易な制御処理によって実現できる。
【０１０６】
また、放送予定変更情報が臨時番組の挿入を示す場合には、臨時番組の挿入開始に対応してこれまでの記録動作を終了させ、この後、臨時番組の挿入終了後に放送される番組の記録が再開されるようにすることで、臨時番組の記録は行われないようにされる。従って、この場合にも、記録媒体の記録容量が節約でき、また、臨時番組により放送時間帯が分かれてしまった録画番組を繋げるようにして記録することができる。
【０１０７】
また、本発明では、放送側から送信する放送予定変更情報についてスクランブル処理をかけて、例えば各受信装置（記録装置）に固有のキー情報と共に送信することで、キー情報が無ければ、受信装置側では放送予定変更情報を適正にデスクランブルして利用することができないことになる。
これにより、例えば、放送側では、放送予定変更情報を有料サービスとして提供するなどの有効な運用を図ることが可能になる。
【図面の簡単な説明】
【図１】本発明の実施の形態の放送システムの構築例を示すブロック図である。
【図２】本実施の形態のＶＲＴの構成例を示すブロック図である。
【図３】本実施の形態の第１例としての予約録画動作が対応する放送予定の変更形態を示す説明図である。
【図４】本実施の形態の第１例としての予約録画動作例を示す説明図である。
【図５】第１例としての予約録画動作を実現するための処理動作を示すフローチャートである。
【図６】第１例としての予約録画動作を実現するための処理動作を示すフローチャートである。
【図７】第２例としての予約録画動作例を示す説明図である。
【図８】第２例としての予約録画動作を実現するためのフローチャートである。
【図９】第３例としての予約録画動作を実現するためのフローチャートである。
【符号の説明】
１  ＲＦ／検波部、２ 放送予定変更情報検出部、３  データ処理部、４  デスクランブラ、５  システムコントローラ、７  予約録画メモリ、８ａ  時計、８ｂ  タイマ、９  Ａ／Ｖ信号検出部、１０  データ処理部、１１  デスクランブラ、１２  Ａ／Ｖ信号処理部、１３  信号処理部、１４  変調／復調処理部、１５  信号入出力部、１６  バッファ、１７  ドライバ、１８  メカデッキ部、１９  信号回路部、２０ 機構部、２１  通信回線処理部、２２  課金情報メモリ、２３  ユーザインターフェイス部、２４  操作部、２５ 表示部、２６  電源回路部、２７ 商用交流電源、２８  テープカセット、１０１  地上局、１０２  衛星、１０３  受信設備（ＡＶシステム）、１０４  電話回線、１０５  課金サーバ、１０６  テレビ番組素材サーバ、１０７ 放送予定変更情報サーバ、１０８ キー情報サーバ、１０９  インターネット、１１１  パラボラアンテナ、１１２  ＶＴＲ、１１３  パーソナルコンピュータ、１１４  モニタ装置
【図１】
0004178694.tif 000002
【図２】
0004178694.tif 000003
【図３】
0004178694.tif 000004
【図４】
0004178694.tif 000005
【図５】
0004178694.tif 000006
【図６】
0004178694.tif 000007
【図７】
0004178694.tif 000008
【図８】
0004178694.tif 000009
【図９】
0004178694.tif 000010